(57)【要約】【課題】本発明の課題は、偏光板の保護シートを剥離する剥離作業の容易化、また、剥離時に生じる偏光板表面と保護シート表面との帯電量を減少させ、静電気による表示パネルに接続された液晶制御ドライバなどの電子部品の破壊を防止することにある。【課題手段】本発明に係る偏光板は、偏光板本体３０に保護シート１０が剥離可能に積層されてなり、該保護シート１０が、偏光板本体３０から剥離する際に分割されて剥離されるように設けられており、たとえば端部１１ａ同士が重なり合った複数のシート片１１から保護シート１０が構成されている。【選択図】  図１
2006350238.tif 000002
【特許請求の範囲】
【請求項１】
液晶表示装置に装着される偏光板であって、
偏光板本体の少なくとも一面には、該偏光板本体を保護するための保護シートが剥離可能に積層されてなり、
前記保護シートは、前記偏光板本体から剥離する際に、分割されて剥離されるように設けられていることを特徴とする偏光板。
【請求項２】
請求項１記載の偏光板であって、
前記保護シートは、複数のシート片から構成されており、
この複数のシート片は、それぞれ剥離できるように前記偏光板本体に積層されていることを特徴とする偏光板。
【請求項３】
請求項２記載の偏光板であって、
前記シート片は、隣接するシート片と、端面同士が密着した状態で前記偏光板本体に積層されていることを特徴とする偏光板。
【請求項４】
請求項２記載の偏光板であって、
前記シート片は、端部が、隣接するシート片の端部に重なった状態で前記偏光板本体に積層されていることを特徴とする偏光板。
【請求項５】
請求項１記載の偏光板であって、
前記保護シートには、偏光板本体からの剥離時において分割ラインとなる切断線が形成されていることを特徴とする偏光板。
【請求項６】
液晶表示装置の偏光板を保護するために、該偏光板に剥離可能に積層される保護シートであって、
前記偏光板から剥離する際に、分割されて剥離されるように設けられていることを特徴とする偏光板の保護シート。
【請求項７】
請求項６記載の偏光板の保護シートであって、
それぞれ剥離できるように前記偏光板に積層された複数のシート片から構成されていることを特徴とする偏光板の保護シート。
【請求項８】
請求項７記載の偏光板の保護シートであって、
前記シート片は、隣接するシート片と、端面同士が密着した状態で前記偏光板に積層されていることを特徴とする偏光板の保護シート。
【請求項９】
請求項７記載の偏光板の保護シートであって、
前記シート片は、端部が、隣接するシート片の端部に重なった状態で前記偏光板に積層されていることを特徴とする偏光板の保護シート。
【請求項１０】
請求項６記載の偏光板の保護シートであって、
前記偏光板からの剥離時において分割ラインとなる切断線が形成されていることを特徴とする偏光板の保護シート。
【請求項１１】
請求項１乃至５の何れかに記載の偏光板を液晶表示装置の液晶パネルに貼着する偏光板貼着工程と、該偏光板貼着工程の後に前記偏光板から保護シートを剥離するシート剥離工程とを備えることを特徴とする液晶表示装置の製造方法。
【請求項１２】
請求項１１記載の液晶表示装置の製造方法であって、
前記シート剥離工程において、偏光板から保護シートの一部を剥離することにより表出した偏光板の表出部分に対して静電除去作業を行った後に、該偏光板から残存する保護シートを剥離する作業を行うことを特徴とする液晶表示装置の製造方法。
【請求項１３】
請求項１１記載の液晶表示装置の製造方法であって、
前記シート剥離工程において、まず液晶表示装置の電子部品部分付近の保護シートの一部を剥離することを特徴とする液晶表示装置の製造方法。
【発明の詳細な説明】
【技術分野】
【０００１】
本願発明は、液晶表示装置の偏光板を保護する偏光板の保護シートおよびその保護シートを備える偏光板に関する。
【背景技術】
【０００２】
現在、液晶表示装置は、小型、薄型、低消費電力、および軽量といった特徴を持ち、パソコンなどのＯＡ機器、テレビなどのＡＶ機器や携帯電話などに広く応用されており、この現在の高需要に応じて、液晶表示装置の歩留り向上が求められている。
【０００３】
液晶表示装置においては、一般に液晶パネル２０に偏光板３０が貼り付けられており、この偏光板３０には、たとえば特許文献１所載のように、液晶表示装置の製造過程において傷や汚れが付くことを防ぐために、偏光板３０の表面を保護する保護シート１０が接着積層されており、この保護シート１０は、偏光板３０を液晶パネル１０に貼付した後に剥離されるものであった（図７参照）。
【０００４】
また、近年、４０インチを超える大型の液晶表示装置が製造されることに伴い、偏光板３０およびこの偏光板３０の保護シート１０のサイズも非常に大きくなり、このため、保護シート３０の剥離作業が困難となっていた。また、この剥離作業によって偏光板３０の表面および保護シート３０の表面に帯電する電荷量が増し、図８に示すように、偏光板３０に近接して設けられている液晶制御ドライバなどの電子部品４０の静電破壊を招くおそれもあった。
【特許文献１】特開平０６−０８８９０７号
【発明の開示】
【発明が解決しようとする課題】
【０００５】
そこで、本願発明は、上記問題点に鑑みてなされたものであり、本願発明の課題とするところは、偏光板の保護シートを剥離する剥離作業の容易化、また、剥離時に生じる偏光板表面と保護シート表面との帯電量を減少させ、静電気による表示パネルに接続された液晶制御ドライバなどの電子部品の破壊を防止することにある。
【課題を解決するための手段】
【０００６】
本願発明は、上記問題を解決すべくなされたものであり、本願発明に係る偏光板は、液晶表示装置に装着される偏光板であって、偏光板本体の少なくとも一面には、該偏光板本体を保護するための保護シートが剥離可能に積層されてなり、前記保護シートは、前記偏光板本体から剥離する際に、分割されて剥離されるように設けられていることを特徴とする。
【０００７】
また、本願発明に係る偏光板の保護シートは、液晶表示装置の偏光板を保護するために、該偏光板に剥離可能に積層される保護シートであって、前記偏光板から剥離する際に、分割されて剥離されるように設けられていることを特徴とする。
【０００８】
上記構成を採用することにより、保護シートを剥離する際に、保護シートを分割しつつ順次剥離していくことが可能となり、サイズの大きな保護シートであっても容易に剥離作業を行うことができる。また、剥離時に生じる偏光板の帯電量を抑えることができ、液晶表示装置の電子部品の静電破壊を防止することができる。特に、保護シートを順次剥離するごとに、静電気除去作業を行うことにより、液晶表示装置の電子部品の静電破壊の発生を防止することができる。
【０００９】
なお、上述のように偏光板から剥離する際に分割されて剥離されるように設けるには、たとえば、保護シートに剥離時において分割ラインとなる薄肉部等からなる切断線を形成したり、また、保護シートを、それぞれ剥離できるように偏光板に積層された複数のシート片から構成することにより、実現可能である。
【００１０】
また、上述のように複数のシート片から保護シートを構成する場合には、隣接するシート片の端面同士が密着した状態や、隣接するシート片の端部が互いに重なった状態で前記偏光板に積層される構成を採用することが好ましい。
【００１１】
さらに、本願発明に係る液晶表示装置の製造方法は、上記構成の偏光板を液晶表示装置の液晶パネルに貼着する偏光板貼着工程と、該偏光板貼着工程の後に前記偏光板から保護シートを剥離するシート剥離工程とを備えることを特徴とする。
【００１２】
そして、前記シート剥離工程において、偏光板から保護シートの一部（たとえば一つのシート片）を剥離することにより表出した偏光板の表出部分に対して静電除去作業を行った後に、該偏光板から残存する保護シートを剥離する作業を行うことにより、より確実に偏光板の帯電量を少なくすることができる。
【００１３】
また、前記シート剥離工程において、まず液晶表示装置の電子部品部分付近の保護シートの一部を剥離する構成を採用することにより、静電破壊のおそれのある電子部品の付近において偏光板が帯電しにくいという利点を有する。
【発明を実施するための最良の形態】
【００１４】
以下、本願発明の実施例について図面を参酌しつつ説明する。
なお、図１は実施例１の保護シート付の偏光板が液晶パネルの表面に貼着された状態の概略的平面図であり、図２は、同実施例における偏光板の液晶パネルへの積層接着前の概略的断面図である。図３は、実施例１の変形例である偏光板の液晶パネルへの積層接着前の概略的断面図である。
図４は、実施例２の保護シート付の偏光板が液晶パネルの表面に貼着された状態の概略的平面図である。
図５は、実施例３の保護シート付の偏光板が液晶パネルの表面に貼着された状態の概略的平面図であり、図６は、同実施例における偏光板の概略的断面図である（セパレータおよび粘着層の図示省略）。
【実施例１】
【００１５】
実施例１においては、液晶表示装置の液晶パネル２０の表面に偏光板が積層されており、この偏光板の表面には、該表面全面に亘って保護シート１０が粘着層（図示省略）により剥離可能に積層接着されるものである。また、前記液晶パネル２０には、その二方向（図１における上方および左側）に、液晶パネル２０の駆動を制御するための制御ドライバ４０（電子部品）が取付けられている。
【００１６】
また、偏光板は、偏光板本体３０の裏面に、液晶パネル２０への積層接着前においては、粘着層３１および該粘着層３１の裏面にセパレータ３２が積層接着されてなるものであり、該セパレータ３２を離脱した後に、偏光板本体３０が前記液晶パネル２０の表面に積層接着されるものである。
【００１７】
また、該偏光板本体３０の表面の保護シート１０は、図１に示すように、矩形状で同じ大きさをした４枚のシート片１１から構成されており、この４枚のシート片１１により前記偏光板本体３０の表面全面に亘るように積層接着されている。この４枚のシート片１１は、図２に示すように、端部１１ａが、隣接するシート片１１の端部１１ａに重なった状態で前記偏光板本体３０に積層接着されており、この重なりあった端部１１ａ同士は互いに不接着状態（接着しない状態）で重なり合わせられている。なお、本発明にあっては、図３に示すように、隣接するシート片１１と、端面１１ｂ同士が密着した状態で前記偏光板本体３０に積層されている構成を採用することも可能である。
【００１８】
上述のような偏光板本体３０は、既述のようにセパレータ３２が離脱された後に前記液晶パネル２０に積層接着され、この積層接着手順の後に、偏光板本体３０の表面の保護シート１０が偏光板本体３０から剥離されることになる。
【００１９】
この偏光板本体３０からの保護シート１０の剥離作業は、四枚のシート片１１が順次剥離することによってなされるが、一枚のシート片１１の離脱作業ごとに、この離脱したシート片１１が覆っていた部分（剥離することにより表出した表出部分）に対して静電気除去作業を順次行っている。
【００２０】
上記実施例によれば、偏光板本体３０から保護シート１０（シート片１１）を剥離する作業が容易となる。つまり、具体例をあげて説明すると、例えば４０インチの液晶表示装置にあっては、従来例であれば約５０ｃｍ×約１００ｃｍからなる大きな１枚の保護シートを剥離する作業を要するが、本実施例において約２５ｃｍ×約５０ｃｍの４枚のシート片を順次剥離すれば足り、その作業性が極めて高い。
【００２１】
また、剥離後における偏光板の帯電量を少なくすることができ、特に、シート片１１を剥離するたびに、静電気除去作業を行うことで、帯電量をより少なくすることができ、電子部品４０の静電破壊を防止することが可能となる。
【実施例２】
【００２２】
次に、本発明の実施例２について説明するが、実施例１と同様の構成については説明を省略する。
【００２３】
実施例２の偏光板本体３０には、二枚のシート片１１からなる保護シート１０が貼着されており、この二枚のシート片１１は、液晶パネル２０に接続される制御ドライバ４０に近接する付近の領域をＬ字状に覆うシート片１１と、この前記制御ドライバ４０から離れた領域を長方形状に覆うシート片１１とからなり、この二枚のシート片１１により偏光板本体３０の全面を覆うように設けられている。
【００２４】
なお、本実施例２の二枚のシート片１１は、実施例１と同様に、端部１１ａ同士が互いに重なった状態で偏光板本体３０に積層接着されているが、制御ドライバ４０から離れた領域を覆うシート片１１の端部１１ａの表面に、制御ドライバ４０に近接する付近の領域を覆うシート片１１の端部１１ａが積層されている。なお、実施例２においても、図３に示すように、隣接するシート片１１の端面１１ｂ同士が密着した状態とすることも適宜設計変更可能な事項である。
【００２５】
そして、実施例２にあっては、前記保護シート１０の剥離作業にあっては、制御ドライバ４０に近接する付近の領域を覆うシート片１１がまず剥離され、その後、制御ドライバ４０から離れた領域を覆うシート片１１が剥離される。これにより、剥離後の偏光板に生じる帯電量を制御ドライバ４０の周辺部で抑制する効果が高く、このため、制御ドライバの静電破壊を防止することができる。
【００２６】
なお、実施例２のＬ字状のシート片１１をさらに分割することも適宜設計変更可能な事項であり、たとえば、図４における左辺の領域を覆うシート片と、上辺の領域を覆うシート片との二枚のシート片により前記Ｌ字状の領域を覆うように構成することも可能である。
【実施例３】
【００２７】
次に、本発明の実施例３について説明するが、実施例１および実施例２と同様の構成については説明を省略する。
【００２８】
実施例３の保護シート１０は、偏光板本体３０からの剥離時において分割されて剥離されるように設けられており、具体的には、図５に示すように、保護シート３０の上下中央付近および左右中央付近に切断線１２が形成されている。本実施例においては、該切断線１２は、保護シート１０を断面略Ｖ字状にカットしたＶ字溝から構成されている。なお、切断線１２としては、ミシン目等を採用することも可能であるが、偏光板本体３０の汚れ等を防止するためには保護シート３０を貫通する部分が存在しない薄肉部から前記切断線を構成することが好ましい。
【００２９】
上記保護シート３０の剥離作業にあっては、保護シート３０は切断線１２に沿って他の部位と分断されて、最終的には一枚のシート片１０ａとなって剥離され、その後、他の部位についても同様に一枚のシート片１０ａとなって剥離されていく。なお、この各シート片１０ａの剥離作業ごとに実施例１で説明した静電気除去作業を行うことが好ましい。
【００３０】
なお、上記実施例３の説明においては、切断線１２を二つ設けて、剥離後に四枚のシート片１０ａとなるように設けたものについて説明したが、切断線１２の形成箇所は上記説明のものに限られず、たとえば、図４に示すようなＬ字状に分割されるように設けることも適宜設計変更可能な事項である。
【図面の簡単な説明】
【００３１】
【図１】実施例１の保護シート付の偏光板が液晶パネルの表面に貼着された状態の概略的平面図である。
【図２】同実施例１における偏光板の液晶パネルへの積層接着前の概略的断面図である。
【図３】実施例１の変形例である偏光板の液晶パネルへの積層接着前の概略的断面図である。
【図４】実施例２の保護シート付の偏光板が液晶パネルの表面に貼着された状態の概略的平面図である。
【図５】実施例３の保護シート付の偏光板が液晶パネルの表面に貼着された状態の概略的平面図である。
【図６】同実施例３における偏光板の概略的断面図である（セパレータおよび粘着層の図示省略）。
【図７】従来例の液晶表示装置の概略的断面図である。
【図８】従来例の液晶表示装置の概略的平面図である。
【符号の説明】
【００３２】
１０    保護シート
１０ａ  分割後のシート片
１１    シート片
１１ａ  端部
１１ｂ  端面
１２    切断線（薄肉部）
２０    液晶パネル
３０    偏光板
４０    電子部品（制御ドライバ）
【図１】
2006350238.tif 000003
【図２】
2006350238.tif 000004
【図３】
2006350238.tif 000005
【図４】
2006350238.tif 000006
【図５】
2006350238.tif 000007
【図６】
2006350238.tif 000008
【図７】
2006350238.tif 000009
【図８】
2006350238.tif 000010